(57)【要約】異なるアクセス技術間でモバイル／ＩＰハンドオフを行うための装置および方法。各アクセス技術に関連して、２つのしきい値、すなわち最低水位標と最高水位標がある。この方法は、特定の環境でそのアクセス技術の選択にこれら水位標を使用する。この方法を使用して、好適なネットワーク（インタフェース）上の信号強度が最低水位標より高い場合には、移動機ノード１０２はその好適なネットワーク上に留まる。好適なネットワーク上の信号強度が、最高水位標以下に下がった場合には、この方法はそのネットワークのための最低水位標を計算する。好適なネットワーク上の信号強度が最低水位標（ＬＷＭ）以下に下がった場合には、この方法はある条件を満たす次の使用可能ネットワークへのハンドオフをスタートする。この方法は、好適なネットワーク上の信号強度の測定値が再度最高水位標より高くなった場合には、好適なネットワークに戻るハンドオフをスタートする。
2006507732.tif 000002
【特許請求の範囲】
【請求項１】
複数のインタフェースをサポートするように構成されている移動通信装置において、ハンドオフを行うための方法であって、
前記複数のインタフェースの現在のインタフェース上の信号強度が、前記現在のインタフェースの第１のしきい値と等しいかまたはそれより低いことを感知するステップと、
ハンドオフする前記複数のインタフェースのうちのターゲット・インタフェースを決定するステップと、
第２のしきい値を計算するステップと、
前記現在のインタフェース上の前記信号強度が前記第２のしきい値に達した場合に、前記ターゲット・インタフェースへの最初のハンドオフをスタートするステップとを備える方法。
【請求項２】
ハンドオフする前記複数のインタフェースのうちのターゲット・インタフェースを決定する前記ステップが、
ａ）前記複数のインタフェースのうちの使用可能インタフェースの信号強度が、前記使用可能インタフェースのための第１のしきい値より大きいかどうかを判断するステップと、
ｂ）前記使用可能インタフェースの信号強度が、前記第１のしきい値より大きい場合に、フォーリン・エージェント広告が、前記使用可能インタフェース上で最近受信されたかどうかを判断するステップと、
ｃ）フォーリン・エージェント広告が最近受信された場合に、前記使用可能インタフェースを前記ターゲット・インタフェースとして識別するステップとを備える請求項１に記載の方法。
【請求項３】
第２のしきい値を計算する前記ステップが、
前記現在のインタフェースの時点Ｔｉで決定した信号強度Ｓｉを決定するステップと、
時点Ｔｉで決定する信号強度の変化の速度ＲＣＳＳｉを決定するステップと、
前記現在のインタフェース上の信号強度が、層２接続が喪失するレベルに達する時点を決定するステップと、
前記ターゲット・インタフェースの登録時間を決定するステップと、
ＴＬＷＭを生成するために、前記現在のインタフェース上の信号強度が層２接続が喪失するレベルに達する時間から前記登録時間を差し引くステップと、
前記第２のしきい値がＳｉ−［（ＴＬＷＭ−Ｔｉ）×ＲＣＳＳｉ］に等しいかどうかを判断するステップとを備える請求項１に記載の方法。
【請求項４】
前記ターゲット・インタフェースの登録時間を決定するステップが、
ホーム・エージェントにピンを送信するステップと、
前記ピンの往復時間を決定するステップと、
前記ホーム・エージェントのところで登録更新を行うために、固定持続時間に前記往復時間を加算するステップとを備える請求項３に記載の方法。
【請求項５】
前記ターゲット・インタフェースの登録時間を決定するステップが、
ダミー登録要求を送信するステップと、
応答を受信するステップと、
前記ダミー要求の送信と前記応答の受信の間の時間差を測定するステップと、
前記登録時間を決定するために前記時間差を使用するステップとを備える請求項３に記載の方法。
【請求項６】
前記ターゲット・インタフェースの登録時間を決定するステップが、前記ターゲット・
インタフェースのためのフォーリン・エージェントから前記登録時間を受信するステップを備える請求項３に記載の方法。
【請求項７】
信号強度ＲＣＳＳｉの変化速度を決定するステップが、ＲＣＳＳｉ＋ｎ＋１＝（Ｓｉ＋１−Ｓｉ＋ｎ＋１）／（ｎ＊Δ）を解くステップを備える請求項３に記載の方法。
【請求項８】
高いランクのインタフェース上の信号強度が、前記高いランクのインタフェースのための前記第１のしきい値より上に増大した場合に、前記高いランクのインタフェースへの第２のハンドオフをスタートするステップをさらに備える請求項１に記載の方法。
【請求項９】
好適なインタフェース上の信号強度が、前記好適なインタフェースのための前記第１のしきい値より増大した場合に、前記好適なインタフェースへの第２のハンドオフをスタートするステップをさらに備える請求項１に記載の方法。
【請求項１０】
各インタフェースがアクセス・ネットワークに関連する複数のインタフェースをサポートするように構成されている移動通信装置であって、
アクセス・ネットワークから信号を受信するための受信機と、
前記受信機に結合しているプロセッサであって、前記現在のインタフェース上の信号強度が、前記現在のインタフェースのための第１のしきい値と等しいかまたはそれより低いことを感知し、ハンドオフする前記複数のインタフェースのうちのターゲット・インタフェースを決定し、第２のしきい値を計算し、前記現在のインタフェース上の前記信号強度が前記第２のしきい値に達した場合に、前記デバイスが前記ターゲット・インタフェースへのハンドオフをスタートすべきことを決定するプロセッサと、
アクセス・ネットワークに信号を送信するために前記プロセッサに結合している送信機とを備える移動通信装置。
【発明の詳細な説明】
【技術分野】
【０００１】
本発明は、概して、通信の分野に関し、特に異なるアクセス技術間でハンドオフを行うための装置および方法に関する。
【背景技術】
【０００２】
将来の無線ネットワークに使用される可能のある候補として複数の競合する技術が研究されている。汎用パケット無線サービス（ＧＰＲＳ）、広帯域符号分割多元接続（ＷＣＤＭＡ）、ＣＤＭＡ２０００、無線ローカル・エリア・ネットワーク（ＷＬＡＮ）、ハイパーＬＡＮおよびブルートゥース（Ｂｌｕｅｔｏｏｔｈ）は、２．５Ｇ／３Ｇ／４Ｇサービスを提供する能力があるものと期待されている可能性のあるアクセス技術のうちのいくつかの技術である。２．５Ｇ／３Ｇ／４Ｇサービスのための種々のアクセス技術が出現したために、シームレス・ハンドオフをサポートするために、異質のネットワーク間で展開することができる技術間ハンドオフの方法が必要になってきている。モバイル／インターネット・プロトコル（ＩＰ）が、異なる技術間でシームレス・ハンドオフを可能にする「その」技術として提案されている。ネットワーク層プロトコルとして、モバイル／ＩＰは、異質の無線ネットワークのための相互に作用する機能をうまく解決することができる。しかし、基本モバイル／ＩＰの固有の限界により、モバイル／ＩＰは、リアルタイム・サービスに対して最適なものとは考えられていない。
【発明の開示】
【発明が解決しようとする課題】
【０００３】
それ故、ある技術から他の技術への改良形モバイル／ＩＰハンドオフのための方法の開発が待望されている。
【課題を解決するための手段】
【０００４】
本発明は、シームレス技術間ハンドオフをサポートするために、モバイル／ＩＰハンドオフの性能を強化する。複数のインタフェースをサポートするデバイスは、本発明の方法の好ましい実施形態を使用することにより、現在行われているアプリケーション・セッションを中断しないで、ある層２（Ｌ２）のインタフェースから他のＬ２のインタフェースに切り替えることができる。ＷＬＡＮおよびＣＤＭＡ技術を使用して本発明を説明する。しかし、通常の当業者であれば、本発明を種々のアクセス技術間のハンドオフに適用することができることを理解することができるだろう。
【発明を実施するための最良の形態】
【０００５】
第１の態様によれば、本発明は、複数のインタフェースをサポートするように構成されている移動通信装置でハンドオフを行うための方法を提供する。この方法は、複数のインタフェースのうちの現在のインタフェース上の信号強度が、現在のインタフェースの第１のしきい値と等しいかまたはそれより低いことを感知するステップと、ハンドオフする複数のインタフェースのうちのターゲット・インタフェースを決定するステップと、第２のしきい値を計算するステップと、現在のインタフェース上の信号強度が第２のしきい値に達した場合、ターゲット・インタフェースへの最初のハンドオフをスタートするステップとを含む。第２の態様によれば、本発明は、各インタフェースがアクセス・ネットワークに関連する複数のインタフェースをサポートするように構成されている移動通信装置を提供する。このデバイスは、アクセス・ネットワークから信号を受信するための受信機と、受信機に結合していて、現在のインタフェース上の信号強度が、現在のインタフェースのための第１のしきい値と等しいかまたはそれより低いことを感知し、ハンドオフする複数
のインタフェースのうちのターゲット・インタフェースを決定し、第２のしきい値を計算し、現在のインタフェース上の信号強度が第２のしきい値に達した場合に、デバイスがターゲット・インタフェースへのハンドオフをスタートしなければならないことを決定するプロセッサと、アクセス・ネットワークに信号を送信するためにプロセッサに結合している送信機とを備える。
【０００６】
図１は、本発明と一緒に使用することができる複数のアクセス技術（技術間）システムの一例である。システムは、ＣＤＭＡ  １Ｘフォーリン・ネットワーク１１４およびＷＬＡＮフォーリン・ネットワーク１０８を含むシステムの機能的アーキテクチャを含む。点線で示すように、例えば、Ｂｌｕｅｔｏｏｔｈ、３．５Ｇおよび４Ｇのような他のフォーリン・ネットワーク１２２も技術間システムに内蔵させることができる。好ましい実施形態の場合には、移動ノード（ＭＮ）１０２は、２つのインタフェースを有するラップトップ・コンピュータである。他の実施形態の場合には、ＭＮ１０２は、携帯情報端末（ＰＤＡ）またはセルラーホンのような任意の移動通信装置であってもよい。ＭＮ１０２は、ＷＬＡＮ  ＰＣカード１０６を介してＷＬＡＮフォーリン・ネットワーク１０８にアクセスする。ＷＬＡＮフォーリン・ネットワーク１０８は、アクセス・ポイント（ＡＰ）１１０およびＷＬＡＮ（ＦＡＷＬＡＮ）１１２のためのフォーリン・エージェントを含む。ＡＰ１１０は、８０２．１１ｂプロトコルにより空気を通してＷＬＡＮ  ＰＣカード１１０と通信するトランシーバである。ＡＰ１１０は、標準イーサネット（登録商標）・ケーブルにより有線ネットワークに接続している。ＡＰ１１０は、無線ユーザと有線ＬＡＮとの間でブリッジとしての働きをする。ＦＡＷＬＡＮ１１２は、ＷＬＡＮネットワーク１０８上の移動エージェントである。ＭＮ１０２が、ＷＬＡＮフォーリン・ネットワーク１０８を訪問している場合、ＷＬＡＮフォーリン・エージェント１１２は、ホーム・エージェント（ＨＡ）１３０から受信したデータグラムをトンネリング解除し、データグラムをＭＮ１０２に転送する。
【０００７】
ＭＮ１０２は、ＣＤＭＡ  １Ｘ移動局（ＭＳ）１０４を介して、ＣＤＭＡ  １Ｘネットワーク１１４にアクセスする。ＣＤＭＡ  １Ｘネットワーク１１４は、ＣＤＭＡ  １Ｘ無線アクセス・ネットワーク（ＲＡＮ）１１６、Ｍｏｔｏｒｏｌａ  Ｄａｔａ  Ｇａｔｅｗａｙ（ＭＤＧ）１１８、およびＲＡＮに対するフォーリン・エージェント（ＦＡＲＡＮ）１２０を含む。ＣＤＭＡ  １Ｘ  ＲＡＮ１１６は、ネットワークに対してＲＦ機能を提供し、ＭＳ１０４とＭＤＧ１１８との間でリンクとしての働きをする。ＣＤＭＡ  １Ｘ  ＲＡＮ１１６は、ＩＳ−２０００エア・インタフェース・プロトコルをサポートする。ＭＤＧ１１８は、ＣＤＭＡ  １Ｘ  ＲＡＮ１１６と移動イネーブルＩＰｖ４コア・ネットワークとの間でインターワークを行う。ＭＤＧ１１８は、ＦＡＲＡＮ１２０とＣＤＭＡ  １Ｘ
ＲＡＮ１１６との間でベアラおよび制御トラフィックを中継する、ＭＮ１０２を含む二点間プロトコル（ＰＰＰ）終端のための終点である。ＦＡＲＡＮ１２０は、ＷＬＡＮネットワーク１０８のところですでに説明したように、ＣＤＭＡ  １Ｘ  ＲＡＮ１１６のために機能を実行する。
【０００８】
ＨＡ１３０は、コア・ネットワークの一部であるＭＮのホーム・ネットワーク上に常駐する。（図１の場合には、ＭＤＧ１１８、ＦＡＲＡＮ１２０、ＨＡ１３０、ＣＮ１３２、ＰＤＮ１３４、ＦＡＷＬＡＮ１１２、モバイルＩＰ  ＦＡ機能１２８、およびデータ・ゲートウェイ機能１２６は、コア・ネットワークの一部であると見なされる。）ＨＡ１３０は、ＭＮ１０２がホームから離れていて、ＭＮ１０２に対する現在の位置情報を維持している場合には、適当なフォーリン・エージェントにデータグラムをトンネリングする。コレスポンデント・ノード（ＣＮ）１３２は、ＭＮ１０２と通信するピアである。このノードはパケット・データ・ネットワーク（ＰＤＮ）１３４上の任意の場所に位置することができる。ＭＮ１０２は、ファイル転送プロトコル、ウエブ・ブラウジング、ストリーミング・ビデオ、等のためにＣＮ１３２と通信する。本発明と一緒に使用することができるＣ
ＤＭＡ  １Ｘ  ＲＡＮ１１６、ＭＤＧ１１８および移動局１０４は、イリノイ州シャウムバーグ所在のＭｏｔｏｒｏｌａ社が市販している。本発明と一緒に使用することができるＦＡ１１２、１２０、ＨＡ１３０、ＭＮ１０２、ＷＬＡＮ  ＰＣカード１０６およびＡＰ１１０は、カリフォルニア州サンノゼ所在のシスコ・システム社（Ｃｉｓｃｏ  Ｓｙｓｔｅｍｓ，Ｉｎｃ．）が市販している。ＣＮ１３２は、Ｃｉｓｃｏ社が市販しているモバイル／ＩＰソフトウェアを稼働している任意の汎用コンピュータにより実施することができる。ＰＤＮは、ＩＰルータのネットワークからなる。このようなルータは、シスコ・システム社（Ｃｉｓｃｏ  Ｓｙｓｔｅｍｓ  Ｉｎｃ．）、カナダのオンタリオ州所在のノーテルネットワークス社（Ｎｏｒｔｅｌ  Ｎｅｔｗｏｒｋｓ）等のような多くの販売業者が市販している。
【０００９】
ＭＮ１０２とＭＳ１０４との間には２つの直列接続が存在する。一方の接続はパケット・データ呼出し用に使用するＰＰＰ接続用のものである。他方の直列接続は、ＭＳ１０４からパイロット（信号）強度を入手するために使用される。
【００１０】
現在、基本モバイル／ＩＰを使用した場合、ＭＮ１０２は、現在のＦＡからのエージェント広告メッセージの受信を中止しない限り、そのＦＡ（すなわち、アクセス技術）を変更しない。例えば、ＭＮ１０２が、Ｌ２インタフェースを介して第１のＦＡに取り付けられた場合、ＭＮ１０２は、自分がエージェント広告メッセージの受信を中止するまで、第１のＦＡを通してその登録を更新し続ける。ＭＮ１０２は、現在のＦＡからエージェント広告を受信することができなくなった場合、異なるＦＡを通して登録する。ＭＮ１０２のこの特性により、現在のＦＡとのＬ２接続を喪失しない限りＦＡの切替えを行わない。このプロセス中、サービスは、アプリケーション層のところで中断する。ＭＮ１０２が第１のＦＡから広告の受信を中止し、第２のＦＡからエージェント広告の受信をスタートした場合には、ＭＮ１０２は、新しいＦＡ（第２のＦＡ）を通して登録プロセスをスタートする。それ故、技術間ハンドオフのためのモバイル／ＩＰの従来の使用方法は、シームレス・技術間ハンドオフを行うために使用することはできないことは明らかである。従来の方法の場合には、ＭＮ１０２は、ネットワーク層のところでサービスの中断を経験する。何故なら、ＭＮ１０２は、古いＦＡとの通信を中止するまで、新しい（ＦＡ）とのモバイル／ＩＰ登録をスタートすることができないからである。
【００１１】
本発明は、基本モバイル／ＩＰの制限を克服するＭＮ１０２のところで使用することができるシームレス技術間ハンドオフをスタートするための自動監視およびトリガ・アプローチを提供する。より詳細に説明すると、本発明は、２つ以上のインタフェースを使用することができる場合、信号強度の測定に基づく移動検出を使用する改良形ＭＮ１０２を提供する。このアプローチは、現在のインタフェース上のＬ２接続を依然として維持しながら、ターゲット・インタフェース上でのモバイルＩＰ登録を交渉するその能力を利用することにより、ハンドオフ・スキームをシームレスにする。適応アルゴリズムが、この交渉プロセスのトリガのためのタイミングを決定するので、ＭＮ１０２は、最も好適なネットワーク上のその存在を最大限に発揮することができる。
【００１２】
図２は、本発明によるＭＮ１０２の簡単なブロック図である。ＭＮ１０２は、ＣＤＭＡ
１Ｘフォーリン・ネットワーク１１４（ＭＳ１０４を介して）、ＷＬＡＮフォーリン・ネットワーク１０８（ＷＬＡＮ  ＰＣ  カード１０６を介して）および他のフォーリン・ネットワーク１２２から送信した信号を受信するための受信機２０２を含む。ＭＮ１０２は、また、ネットワーク１１４、１０８、１２２へ信号を送信するための送信機２０４も含む。受信機２０２および送信機２０４は、本発明の方法を実施するためのロジックを含むプロセッサ２０６に結合している。本発明を実施するために任意の標準信号プロセッサを使用することができる。
【００１３】
図３Ａ，３Ｂについて説明すると、この図は本発明の好ましい実施形態によるハンドオフのための方法である。図３Ａのステップ３０２において、ＭＮ１０２は現在のインタフェースとのＬ２接続を有する。好ましい実施形態の場合には、現在のインタフェースは、ユーザが最適であるとランクづけたインタフェースである。例えば、図１のシステムを使用した場合、ユーザは、ＷＬＡＮインタフェースを最適なインタフェースであるとランクづけすることができ、ＣＤＭＡインタフェースを次の最も好適なインタフェースであるとランクづけすることができ、以下同様である。
【００１４】
ステップ３０４において、この方法は、現在のインタフェース（この例の場合には、ＷＬＡＮインタフェース）上の信号強度が、現在のインタフェースに対して最高水位標（ＨＷＭ）と呼ばれる第１のしきい値より大きいかどうかを判断する。ＨＷＭは、所与のインタフェース上でＬ２接続が安定している信号強度である。ＨＷＭは、好適には、過去の経歴に基づいて、または実験データにより各インタフェースに対して設定することが好ましい。ステップ３０４において、現在のインタフェース上の信号強度が現在のインタフェースに対するＨＷＭより大きい場合には、ハンドオフを行う必要はなく、この方法は信号強度を引き続き監視する。信号強度が現在のインタフェースに対するＨＷＭまでまたはそれ以下になった場合には、この方法はハンドオフするための他のインタフェースを探す。好ましい実施形態の場合には、ＭＮ１０２は、それぞれが異なるアクセス技術に関連する使用可能インタフェースのリストを維持する。ステップ３０６において、この方法は、リスト内の可能なターゲット・インタフェースをポイントするために、変数「ｉ」を初期化する。好適には、可能なターゲット・インタフェースは、ユーザにより次に最適であるとランクされたインタフェース（この例の場合にはＣＤＭＡインタフェース）であることが好ましい。
【００１５】
ステップ３０８および３１０において、この方法は、２つの条件が可能なターゲット・インタフェースに適合するかどうかを判断する。より詳細に説明すると、ステップ３０８において、この方法は、可能なターゲット・インタフェースの信号強度が、可能なターゲット・インタフェースに対するＨＷＭより大きいかどうかを判断する。この条件に適合する場合、この方法は、可能なターゲット・インタフェース上で最近ＦＡ広告を受信したかどうかを判断する（ステップ１０）。好ましい実施形態の場合には、ＦＡ広告を最近受信していない場合には、この方法は、そのインタフェース上に広告を受信するようにという依頼を送信する。ステップ３１０のところの条件に適合した場合には（ＦＡ広告を最近受信したか、または依頼に応じてＦＡを受信した場合には）、この方法は、可能なターゲット・インタフェースをハンドオフするターゲット・インタフェースであると識別する（ステップ３１２）。ステップ３０８またはステップ３１０の条件のうちのどちらかに適合しない場合には、この方法は、ハンドオフする他の可能なターゲット・インタフェースが存在するかどうかを判断する（ステップ３１４）。他の可能なターゲット・インタフェースが存在する場合には、この方法は、次の可能なターゲット・インタフェースをポイントするためにポインタを増分し（ステップ３１６）、ターゲット・インタフェースを識別するためのプロセスを継続するためにステップ３０８に戻る。
【００１６】
図３Ｂを参照してステップ３１８から継続して説明すると、ターゲット・インタフェースが識別された場合、この方法は、現在のインタフェースに対する最低水位標（ＬＷM ）を計算する。ＬＷＭは、ＭＮ１０２が異なるインタフェースへのハンドオフをトリガする現在のインタフェース上の信号強度である。この方法が適応性を有しているのはＬＷM を計算するからである。ＬＷＭを計算する際に使用する２つのパラメータは、登録時間（ＲＴ）および信号強度の変化の速度（ＲＣＳＳｉ）である。これらのパラメータについては以下に説明する。
【００１７】
ＲＴは、ＭＮ１０２がＨＡにモバイルＩＰ登録要求を送信する時間とＨＡから対応する
登録応答を受信する時間との間の時間間隔である。好ましい実施形態の場合には、ＭＮ１０２は、使用可能な各インタフェースに対するＲＴの表を維持する。この例の場合には、下記の表は、ＷＬＡＮおよびＣＤＭＡ使用可能なインタフェースを含むＭＮ１０２のためのいくつかのサンプルＲＴを含む。
【００１８】
【表１】
2006507732.tif 000003
【００１９】
ＭＮ１０２は、いくつかの方法で、現在のＲＴ値を維持することができる（すなわち、所与のネットワーク上の現在のトラフィック条件を説明することができる）。例えば、ＭＮ１０２は、ＨＡ１３０に対して「ピン」を実行し、ＨＡ１３０のところで通常の登録更新を行うために、固定の持続時間にその往復時間を加算することができる。別の方法としては、ＭＮ１０２は、周期的にダミーの登録要求を送信し、応答を受信するためにかかった時間を測定し、登録表を更新することができる。もう１つの方法は、過去の登録時間を維持し、それをＭＮ１０２に供給するための所与のネットワーク上のＦＡのための方法である。本発明の好ましい実施形態を説明するために、上記表内の登録時間値は最近のネットワーク条件を反映しているものと仮定する。
【００２０】
ＭＮ１０２は、アクセスする各インタフェース上の信号強度を引き続き測定し、それ故、任意の所与の瞬間の信号強度の変動の速度を追跡することができる。例えば、ＷＬＡＮ環境のＡＰは、関連するＭＮ１０２がサンプリングすることができるビーコン信号を周期的に送信する。サンプル「ｉ」の信号強度がＳｉであると仮定した場合には、サンプルｉ＋１，ｉ＋２，．．．，ｉ＋ｎのシーケンスの信号強度は、Ｓｉ＋１，Ｓｉ＋２，．．．，Ｓｉ＋ｎとなる。２つの連続しているサンプルの間の時間差をΔ秒としよう（例えば、ＷＬＡＮ環境においては、Δは通常０．１秒である）。サンプルｉ＋ｎの時点でのＲＣＳＳは、ｎ個の連続しているサンプルに基づいていて、下式により計算することができる。
【００２１】
【数１】
2006507732.tif 000004
【００２２】
次のサンプル（ｉ＋ｎ＋１）を測定する場合に、ＲＣＳＳｉ＋ｎ＋１の値は、最も最近のｎ個のサンプルだけに基づいて計算される。
【００２３】
【数２】
2006507732.tif 000005
【００２４】
本発明の好ましい実施形態の場合には、ｎの値は構成することができ、ユーザの好みにより設定される。
ＬＷＭを計算するために、図３Ｂのステップ３１８のＬＷＭの計算に戻って説明すると、ＭＮ１０２は、最初現在のインタフェース上の信号強度がリンク・ダウン信号（ＳＬＤ）になるまでの時間の長さ（ＴＬＤ）を計算する。ＳＬＤは、インタフェース上のＬ２接続のところの信号強度が完全にゼロになる信号強度である。他のインタフェースに効果的
にハンドオフするということは、新しいインタフェース上でモバイルＩＰ登録を完了することを意味するので、ＭＮ１０２は、現在のインタフェース上のリンクが喪失する前に、新しいインタフェース上で登録を完了するのに十分な時間を自分が持たなければならない。それ故、その時間に到着するには、現在のインタフェース上の信号強度をＬＷＭ（ＴＬＷＭ）にするが、この方法は、ＴＬＷＭを生成するためにＴＬＤからターゲット・ネットワークの登録時間（ＲＴ）を差し引く。
【００２５】
【数３】
2006507732.tif 000006
【００２６】
ＴＬＷＭは、ＭＮ１０２がハンドオフをスタートしなければならない時間である。この時点での信号強度はＬＷＭであり、下式によりＲＣＳＳｉを使用して計算することができる。
【００２７】
【数４】
2006507732.tif 000007
【００２８】
ここで、ＴｉはＲＣＳＳｉが計算される瞬間である。（ＲＣＳＳｉは、ｎ＊デルタで割ったｎ個の離れているサンプルであるＲＣＳＳ値間の違いである。ここで、デルタはサンプルの持続時間である。）すべてのパラメータは、同じ時間単位（例えば、ミリ秒）を有する。また、信号強度の変化の速度は一定でないので、ＭＮ１０２は、受信する各信号サンプルに対する新しいＬＷＭ値を計算する。別の方法としては、ＭＮ１０２を、１００ｍｓ毎の代わりに、例えば、１秒毎等のようにもっと間隔を置いてＬＷＭを計算するように構成することができる。
【００２９】
ステップ３１８においてＬＷＭを計算した後で、この方法は、現在のインタフェース上の信号強度がＬＷＭよりも大きいかどうかを判断する（ステップ３２０）。信号強度がＬＷＭよりも大きい限りは、ＭＮ１０２は現在のインタフェース上に留まる。信号強度がもはやＬＷＭより大きくない場合（ＬＷＭと等しいかそれ以下になった場合）、この方法はターゲット・インタフェースに対するハンドオフをスタートする（ステップ３２２）。（この時点で、ターゲット・インタフェースが現在のインタフェースになる）。この方法は、引き続き使用可能インタフェース上のＨＷＭを監視する。好適な（最高ランクの）インタフェース上の信号強度が、好適なインタフェースに対するＨＷＭ以上になった場合には、この方法は、好適なインタフェースに対するハンドオフをスタートする（ステップ３２４、３２６）。別の方法としては、好適なインタフェース上の信号強度がそのＨＷＭ以上にならなかったが、現在のインタフェースよりランクの高いインタフェース上の信号強度がインタフェースに対するＨＷＭより大きくなった場合には、この方法は高いランクのインタフェースへのハンドオフをスタートする（ステップ３２８、３３０）。好適なインタフェース上の信号強度がそのＨＷＭより大きくならないで、現在のインタフェースよりランクの高いインタフェース上の信号強度が、インタフェースに対するＨＷＭより大きくない場合には（ステップ３２８でパス「無し」）、この方法は、ステップ３０４に進み、現在のインタフェース上の信号強度の監視を引き続き行い、すでに説明した方法によりハンドオフを行う決定をする。この方法はステップ３２６および３３０からステップ３０４に進む。
【００３０】
図４〜図６は、適応ハンドオフ・トリガ・イベントのグラフである。すでに説明したよ
うに、現在のインタフェース上の信号強度がＨＷＭ以下になった場合には、ＭＮ１０２は、どのインタフェースにハンドオフすることができるのかを判断するために、他のインタフェースの走査をスタートする。新しいインタフェースを選択するための基準は、優先順位リスト、インタフェース上の信号強度およびインタフェースの利用度に依存する。ターゲット・インタフェースが識別されると、適応ＬＷＭ値が計算される。現在のインタフェース上の信号強度がＬＷＭになった場合には、ターゲット・ネットワークに対するハンドオフがスタートする。図４は、ハンドオフが完了する時間、Ｔｈｏ＿ｃｏｍｐが、層２リンクが前のネットワーク上で消滅する時間ＴＬＤと同じ場合を示す。これは、ＬＷＭが最適である場合の理想的な場合を示す。層３のブラックアウトを経験しない場合には、ＭＮ１０２は可能な限り好適なネットワーク上に位置する。
【００３１】
図５は、移動ノードがハンドオフをスタートした後で、信号の下降速度が速くなる場合を示す。このような場合、リンクのダウンは、ＭＮ１０２が予想したよりも速くなる場合がある。新しいインタフェース上で登録応答を受信する前に、ブラックアウト期間が来る。ＭＮ１０２は、そうしたい場合には、ＬＷＭ値を増大することにより、このブラックアウト時間に基づいて、次の類似のハンドオフに対するＬＷＭの計算を調整することができる。
【００３２】
図６は、ＭＮ１０２がハンドオフをスタートした後で、信号の下降速度が遅くなる場合を示す。この場合、ハンドオフはリンク・ダウンの前に完了することができる。この場合にはブラックアウトは起こらないが、ＭＮ１０２は、もっと長い時間好適なネットワーク上に位置することができる。移動ノードは、そうしたい場合には、ＬＷＭ値を低減することにより、過度の時間に基づいて次の類似のハンドオフに対するＬＷＭの計算を調整することができる。
【００３３】
本発明を種々に修正および変更することができるが、例示としての特定の実施形態を図面に示し本明細書で詳細に説明してきた。しかし、本発明は開示の特定の形態に制限されないことを理解されたい。それどころか、本発明は、添付の特許請求の範囲に記載する本発明の範囲に入るすべての修正、等価物、および変更を含む。
【図面の簡単な説明】
【００３４】
【図１】本発明と一緒に使用することができる技術間システムの機能的アーキテクチャのブロック図。
【図２】本発明による移動通信装置の簡単なブロック図。
【図３Ａ】本発明の好ましい実施形態によるモバイル／ＩＰハンドオフのための方法のフローチャート。
【図３Ｂ】図３Ａに続く、本発明の好ましい実施形態によるモバイル／ＩＰハンドオフのための方法のフローチャート。
【図４】ＬＷM の値が最適である図２の方法のグラフ。
【図５】ＬＷＭの値が非常に低い図２の方法のグラフ。
【図６】ＬＷＭの値が非常に高い図２の方法のグラフ。
【図１】
2006507732.tif 000008
【図２】
2006507732.tif 000009
【図３Ａ】
2006507732.tif 000010
【図３Ｂ】
2006507732.tif 000011
【図４】
2006507732.tif 000012
【図５】
2006507732.tif 000013
【図６】
2006507732.tif 000014
【国際調査報告】
2006507732.tif 000015